(57)【要約】【課題】自走式作業機械の重量から畦畔を保護することができる畦畔保護用仮設スロープを提供する。【解決手段】畦畔１１の上面に載置される上面載置部材１２と、上面載置部材の両側に配置される一対のスロープ部材１３とを備え、上面載置部材１２は、畦畔の上面長手方向に配置される長方形状の載置板１４と、載置板１４の上面幅方向中央部長手方向に設けられた上向き開口を有する係合溝形成部材１５とを有し、スロープ部材１３は、矩形状に枠組みされたフレーム部１６と、フレーム部の上面に設けられたスロープ部１７とを有し、フレーム部の一端には、下方に突出して係合溝形成部材によって形成された係合溝１８内に挿入される係合突片１９が設けられ、係合突片は、一対のスロープ部材を吊持して両スロープ部材の他端部を上昇させてフレーム部の一端側上端が当接したときに、両係合突片の下端部が係合溝形成部材の溝側壁に当接する形状を有している。【選択図】図１
2018071306.tif 000002
【特許請求の範囲】
【請求項１】
圃場を仕切る畦畔を保護するための畦畔保護用仮設スロープであって、前記畦畔の上面に載置される上面載置部材と、該上面載置部材の両側に配置される一対のスロープ部材とを備え、前記上面載置部材は、畦畔の上面長手方向に配置される長方形状の載置板と、該載置板の上面幅方向中央部長手方向に設けられた上向き開口を有する係合溝形成部材とを有し、前記スロープ部材は、矩形状に枠組みされたフレーム部と、該フレーム部の上面に設けられたスロープ部とを有し、前記フレーム部の一端には、下方に突出して前記係合溝形成部材内に挿入される係合突片が設けられ、該係合突片は、前記一対のスロープ部材を吊持して両スロープ部材の他端部を上昇させてフレーム部の一端側上端が当接したときに、両係合突片の下端部が前記係合溝形成部材によって形成された係合溝の溝側壁に当接する形状を有していることを特徴とする畦畔保護用仮設スロープ。
【発明の詳細な説明】
【技術分野】
【０００１】
本発明は、畦畔保護用仮設スロープに関し、詳しくは、畦畔で仕切られた圃場で作業する自走式作業機械が畦畔を乗り越えて隣接する圃場へ移動する際に使用する畦畔保護用仮設スロープに関する。
【背景技術】
【０００２】
畦畔で仕切られた圃場の灌漑工事などでバックホーやブルドーザなどの自走式作業機械を使用する際、隣接する圃場に移動するときには、畦畔を乗り越すことがある。このとき、通常の土砂で形成した畦畔は、自走式作業機械の重量により押しつぶされてしまい。復旧に多大な手間を要することになる。一方、畦畔の構造を変更することにより、自走式作業機械の重量に耐える強度とすることも可能である（例えば、特許文献１参照。）。
【先行技術文献】
【特許文献】
【０００３】
【特許文献１】特開平１１−２８６９２６号公報
【発明の概要】
【発明が解決しようとする課題】
【０００４】
しかし、既存の圃場に設けられている土砂製畦畔の全てを強度の高い畦畔に置き換えることは極めて困難である。
【０００５】
そこで本発明は、自走式作業機械が畦畔を乗り越す際に簡単に設置することができ、自走式作業機械の重量から畦畔を保護することができる畦畔保護用仮設スロープを提供することを目的としている。
【課題を解決するための手段】
【０００６】
上記目的を達成するため、本発明の畦畔保護用仮設スロープは、圃場を仕切る畦畔を保護するための畦畔保護用仮設スロープであって、前記畦畔の上面に載置される上面載置部材と、該上面載置部材の両側に配置される一対のスロープ部材とを備え、前記上面載置部材は、畦畔の上面長手方向に配置される長方形状の載置板と、該載置板の上面幅方向中央部長手方向に設けられた上向き開口を有する係合溝形成部材とを有し、前記スロープ部材は、矩形状に枠組みされたフレーム部と、該フレーム部の上面に設けられたスロープ部とを有し、前記フレーム部の一端には、下方に突出して前記係合溝形成部材内に挿入される係合突片が設けられ、該係合突片は、前記一対のスロープ部材を吊持して両スロープ部材の他端部を上昇させてフレーム部の一端側上端が当接したときに、両係合突片の下端部が前記係合溝形成部材によって形成された係合溝の溝側壁に当接する形状を有していることを特徴としている。
【発明の効果】
【０００７】
本発明の畦畔保護用仮設スロープによれば、上面載置部材を畦畔の上面に載置し、両スロープ部材の一端に設けられた係合突片を係合溝形成部材内に挿入し、両スロープ部材の他端を圃場の地面に配置することにより、畦畔の両側にスロープを形成することができる。スロープを自走式作業機械が走行したときの自走式作業機械の重量を、上面載置部材の載置板とスロープ部材の他端とで受けることにより、畦畔にかかる荷重を低減することができ、畦畔が自走式作業機械の重量によって押しつぶされることがなくなる。
【０００８】
さらに、一対のスロープ部材を吊持してフレーム部の一端側上端が当接したときに、両係合突片の下端部が前記係合溝形成部材の溝側壁に当接することにより、両スロープ部材を吊持することによって上面載置部材を両スロープ部材と同時に吊り上げることができる。これにより、畦畔保護用仮設スロープの設置や移動を容易に行うことができる。また、両スロープ部材や上面載置部材を連結するための連結部材を不要にできるので、製造コストの低減を図ることができるとともに、畦畔保護用仮設スロープをトラックなどで搬送する際には、スロープ部材を一つずつ吊り上げることによって上面載置部材と２個のスロープ部材とに分解して小型化できるので、作業現場への移送も容易に行うことができる。
【図面の簡単な説明】
【０００９】
【図１】本発明の畦畔保護用仮設スロープの一形態例をｃ示す側面図である。
【図２】上面載置部材の斜視図である。
【図３】スロープ部材の斜視図である。
【図４】畦畔保護用仮設スロープを吊り上げた状態を示す側面図である。
【図５】畦畔保護用仮設スロープを畦畔に設置するときの状態を示す説明図である。
【図６】畦畔保護用仮設スロープを使用してブルドーザが畦畔を乗り越す状態を示す説明図である。
【発明を実施するための形態】
【００１０】
図１乃至図６は、本発明の畦畔保護用仮設スロープの一形態例を示している。本形態例に示す畦畔保護用仮設スロープ１０は、畦畔１１の上面に載置される上面載置部材１２と、該上面載置部材１２の両側に配置される一対のスロープ部材１３，１３とを備えている。前記上面載置部材１２は、畦畔１１の上面長手方向に配置される長方形状の載置板１４と、該載置板１４の上面幅方向中央部長手方向に設けられた一対の係合溝形成部材１５，１５とを有しており、載置板１４の一側には、畦畔１１の角部に当接する位置決め片１４ａを設けている。
【００１１】
スロープ部材１３は、複数の角形鋼管を使用して上枠１６ａ、下枠１６ｂ、一対の側枠１６ｃ及び該側枠１６ｃに平行な複数の中骨１６ｄを組み合わせて矩形状に枠組みされたフレーム部１６と、該フレーム部１６の上面に畦畔１１と平行な方向に設けられた複数のアングル材１７ａにて形成したスロープ部１７とを有している。スロープ部１７は、自走式作業機械における走行部の位置に対応させてスロープ部材１３の両側部に設けられており、スロープ部材１３の中央部を空間にしてコスト削減と軽量化とを図っている。さらに、フレーム部１６の一端となる上枠１６ａの外面には、上枠１６ａから下方に突出して前記係合溝形成部材１５，１５によって形成された上向き開口を有する係合溝１８内に挿入される係合突片１９が設けられている。
【００１２】
係合突片１９は、図１及び図６に示すように、係合溝１８内に挿入されて係合することにより、スロープ部材１３，１３をスロープとして使用したときに、上面載置部材１２に対してスロープ部材１３，１３を位置決めし、スロープ部材１３が畦畔１１上から外れること防止して所定の傾斜で保持している。また、図４及び図５に示すように、一対のスロープ部材１３，１３をワイヤー２０で同時に吊持して両スロープ部材１３，１３の他端部である下枠１６ｂ側を上昇させてフレーム部の一端側上端である係合突片１９の上端１９ａ，１９ａが当接したときに、両係合突片１９，１９の下端１９ｂ，１９ｂが係合溝形成部材１５，１５によって形成された係合溝１８の溝側壁１８ａ，１８ａにそれぞれ当接する形状を有している。これにより、図５に示すように、一対のスロープ部材１３，１３を、バックホー２１のアーム２１ａなどに連結したワイヤー２０で同時に吊持するだけで、上面載置部材１２と両スロープ部材１３，１３と同時に吊り上げて搬送することができる。
【００１３】
また、側枠１６ｃ及び中骨１６ｄの下面には、補強部材２２が設けられており、上枠１６ａ側の上部補強部材２２ａは、畦畔１１に食い込まないように、下枠１６ｂ側の下部補強部材２２ｂは、地面に食い込まないように、それぞれ先端側下部を面取りした三角形状に形成されている。
【００１４】
このように形成した畦畔保護用仮設スロープ１０は、図１及び図６に示すように、畦畔１１の上面に載置板１４を載置し、位置決め片１４ａを畦畔１１の一方の角部に当接させて位置決めするとともに、両スロープ部材１３の係合突片１９を係合溝１８内に挿入し、下枠１６ｂを圃場の地面に接地させた状態で用いられる。
【００１５】
これにより、ブルドーザ２３のようなクローラ走行式の作業機械が畦畔１１を乗り越えるときに、ブルドーザ２３の重量を上面載置部材１２とスロープ部材１３とに分散させて受けることができるので、畦畔１１に大きな荷重が掛かることがなくなり、畦畔１１を保護することができる。特に、畦畔１１の上面全体を覆うような形状の載置板１４を上面載置部材１２に設けているので、畦畔１１の局部的に荷重が作用することがないので、畦畔１１をより確実に保護することができる。
【００１６】
ブルドーザ２３が畦畔１１を乗り越えた後は、図４及び図５に示すように、両スロープ部材１３，１３をワイヤー２０を介してバックホー２１で吊り上げることにより、畦畔保護用仮設スロープ１０の全体を吊り上げて移動させることができ、圃場内での作業の邪魔になることがない位置に容易に移動させることができる。
【００１７】
なお、スロープ部材１３の形状は、畦畔１１の高さや使用する自走式作業機械に応じて設定すればよい。また、スロープ部１７は、自走式作業機械の走行部に対応させて形成すればよく、走行部がクローラの場合は、前述のようなアングル材１７ａによって梯子状に形成すればよく、ホイール式の走行部の場合は、鉄板などの平板をフレーム部１６の上やアングル材１７ａの上に置くようにすればよい。さらに、上面載置部材１２やスロープ部材１３に、吊り上げ用の連結部を設けておくことにより、それぞれを単独で吊り上げて搬送することができる。また、係合溝１８は、１本のチャンネルを係合溝形成部材として使用することもできる。
【符号の説明】
【００１８】
１０…畦畔保護用仮設スロープ、１１…畦畔、１２…上面載置部材、１３…スロープ部材、１４…載置板、１４ａ…位置決め片、１５…係合溝形成部材、１６…フレーム部、１６ａ…上枠、１６ｂ…下枠、１６ｃ…側枠、１６ｄ…中骨、１７…スロープ部、１７ａ…アングル材、１８…係合溝、１８ａ…溝側壁、１９…係合突片、１９ａ…上端、１９ｂ…下端、２０…ワイヤー、２１…バックホー、２１ａ…アーム、２２…補強部材、２２ａ…上部補強部材、２２ｂ…下部補強部材、２３…ブルドーザ
【図１】
2018071306.tif 000003
【図２】
2018071306.tif 000004
【図３】
2018071306.tif 000005
【図４】
2018071306.tif 000006
【図５】
2018071306.tif 000007
【図６】
2018071306.tif 000008